(57)【要約】【課題】所定角度以上傾けると飲料が流出し、所定角度未満では飲料が流出せず、『コップ飲み』の訓練に適し、転倒しても飲料がこぼれないようにする。【解決手段】所定量未満の飲料Ｌを溜めた状態で、所定の角度以上傾けると飲料Ｌが流出するが、所定の角度未満では飲料Ｌが流出しない飲料容器であり、飲料Ｌを貯留する本体部100 と、本体部100 の開口端110 に取り付けられて閉塞する蓋体200 とを備え、蓋体200 は流出孔211 が開設された内側蓋体210 と、飲み口221 が開設され、内側蓋体210 を覆った状態で内側蓋体210 に取り付けられる外側蓋体220 とを有し、内側蓋体210 と外側蓋体220 との間には空間Ｓがあり、本体部100 が所定角度以上傾くと、本体部100 に貯留された飲料Ｌは流出孔211 から空間Ｓに導かれて飲み口221 から流出し、本体部100 の傾きが所定角度未満であると、本体部100 に貯留された飲料Ｌは空間Ｓには導かれないか、導かれたとしても空間Ｓに留まる。【選択図】      図１
2020158120.tif 000002
【特許請求の範囲】
【請求項１】
所定量未満の飲料を溜めた状態で、所定の角度以上傾けると飲料が流出するが、所定の角度未満では飲料が流出しない飲料容器において、飲料を貯留する有底筒状の本体部と、この本体部の開口端を閉塞する蓋体とを具備しており、前記蓋体は、本体部の開口端に取り付けられ、流出孔が開設された内側蓋体と、飲み口が開設され、前記内側蓋体を覆った状態で内側蓋体に取り付けられる外側蓋体とを有しており、内側蓋体と外側蓋体との間には空間が形成され、本体部が所定の角度以上傾けられると、本体部に貯留された飲料は、内側蓋体の流出孔から前記空間に導かれ、かつ前記空間から外側蓋体の飲み口を介して流出し、本体部の傾きが所定の角度未満であると、本体部に貯留された飲料は内側蓋体の流出孔から前記空間には導かれないか、導かれたとしても外側蓋体の飲み口からは流出せず前記空間に留まることを特徴とする飲料容器。
【請求項２】
前記内側蓋体の流出孔と前記外側蓋体の飲み口とは、異なる位置に形成されていることを特徴とする請求項１記載の飲料容器。
【請求項３】
前記外側蓋体の飲み口は、前記内側蓋体の流出孔からみて１８０°ずれた位置に形成されていることを特徴とする請求項１又は２記載の飲料容器。
【請求項４】
前記本体部には、外側蓋体の飲み口及び内側蓋体の流出孔からみて９０°ずれた位置に一対の把っ手が形成されていることを特徴とする請求項３記載の飲料容器。
【請求項５】
前記本体部又は前記内側蓋体のいずれかの外周部には、飲料容器が転倒した場合に飲料容器の角度が前記所定の角度未満となるような突起が形成されていることを特徴とする請求項１、２、３又は４記載の飲料容器。
【発明の詳細な説明】
【技術分野】
【０００１】
本発明は、倒してもこぼれることがない飲料容器に関する。
【背景技術】
【０００２】
幼児が飲料を飲む容器としては、乳首を用いる哺乳瓶タイプ（特開２００５−３４８９０９号公報参照）、スパウトと称される突出した飲み口を用いるタイプ（特開２００２−３２１７５５号公報参照）、ストローを用いたタイプ（特開２０１５−０５８９４９号公報参照）。
例えば、通常の使用順序としては、哺乳瓶タイプ、スパウトタイプ、ストロータイプとなる。
哺乳瓶の後にすぐにコップタイプのものを使用しないのは、コップタイプであると飲料がこぼれてしまうという問題があるためである。
【０００３】
【特許文献１】特開２００５−３４８９０９号公報
【特許文献２】特開２００２−３２１７５５号公報
【特許文献３】特開２０１５−０５８９４９号公報
【発明の開示】
【発明が解決しようとする課題】
【０００４】
しかしながら、最終的には容器を一定の角度以上傾けつつ顎を上向きに傾けて飲むタイプ、すなわちコップタイプのものに移行する必要がある。
スパウトタイプは容器を一定以上傾ける必要があるが、転倒すると飲料がこぼれてしまうという問題点がある。
また、ストロータイプは、転倒しても飲料がこぼれるおそれは少ないが、容器を一定の角度以上傾けなくても飲料を飲むことができるため、コップタイプへの移行訓練用としては不適切である。
さらに、幼児用でない成人用の飲料容器であっても、脳卒中や高齢者のリハビリのために使用される飲料容器では倒れてもこぼれないものが要求されている。また、リハビリ用のものでなくても、倒れても飲料がこぼれなることがない飲料容器はだれにとっても有益なものである。
また、転倒したときに飲料がこぼれないようにする溢れ防止バルブを設けたものもあるが、その構造上細かな部品が必要となり、洗浄が難しく且つ外れた部品の誤嚥の恐れがある。
また、転倒したときに飲料がこぼれないようにするために、溢れ防止のシリコン等の軟素材による開閉蓋を設けたものもあるが、このタイプは使用時に唇で蓋を押したり哺乳瓶の様に飲料を吸い出したりする必要があり、自然な飲み行為ができない。
【０００５】
本発明は、上記事情に鑑みて創案されたもので、飲料を飲む際には、容器を一定の角度以上に傾けつつ顎を上向きとする必要があり、かつ転倒しても飲料がこぼれない飲料容器を提供することを目的としている。
【課題を解決するための手段】
【０００６】
本発明に係る飲料容器は、所定量未満の飲料を溜めた状態で、所定の角度以上傾けると飲料が流出するが、所定の角度未満では飲料が流出しない飲料容器であって、飲料を貯留する有底筒状の本体部と、この本体部の開口端を閉塞する蓋体とを備えており、前記蓋体は、本体部の開口端に取り付けられ、流出孔が開設された内側蓋体と、飲み口が開設され、前記内側蓋体を覆った状態で内側蓋体に取り付けられる外側蓋体とを有しており、内側蓋体と外側蓋体との間には空間が形成され、本体部が所定の角度以上傾けられると、本体部に貯留された飲料は、内側蓋体の流出孔から前記空間に導かれ、かつ前記空間から外側蓋体の飲み口を介して流出し、本体部の傾きが所定の角度未満であると、本体部に貯留された飲料は内側蓋体の流出孔から前記空間には導かれないか、導かれたとしても外側蓋体の飲み口からは流出せず前記空間に留まるようになっている。
【発明の効果】
【０００７】
本発明に係る飲料容器は、所定の角度以上傾けると飲料が流出するが、所定の角度未満では飲料が流出しないように構成されているので、飲料を飲む際には、容器を一定の角度以上に傾けつつ顎を上向きとする必要があるので、『コップ飲み』の訓練に適しており、かつ転倒しても飲料がこぼれないようになっているので安心して使用することができる。
【図面の簡単な説明】
【０００８】
【図１】本発明の実施の形態に係る飲料容器の概略的断面図である。
【図２】本発明の実施の形態に係る飲料容器の概略的分解断面図である。
【図３】本発明の実施の形態に係る飲料容器の図２におけるＡ−Ａ線概略的分解断面図である。
【図４】本発明の実施の形態に係る飲料容器の概略的正面図である。
【図５】本発明の実施の形態に係る飲料容器の概略的平面図である。
【図６】本発明の実施の形態に係る飲料容器で飲料が流出する様子を示す概略的断面図である。
【図７】本発明の実施の形態に係る飲料容器が転倒しても飲料が流出しない様子を示す概略的断面図である。
【図８】本発明の実施の形態に係る飲料容器が転倒しても飲料が流出しない様子を示す概略的断面図である。
【発明を実施するための形態】
【０００９】
本発明の実施の形態に係る飲料容器１０００は、所定量未満の飲料Ｌを溜めた状態で、所定の角度以上傾けると飲料Ｌが流出するが、所定の角度未満では飲料Ｌが流出しない飲料容器であって、飲料Ｌを貯留する有底筒状の本体部１００と、この本体部１００の開口端１１０を閉塞する蓋体２００とを備えており、前記蓋体２００は、本体部１００の開口端１１０に取り付けられ、流出孔２１１が開設された内側蓋体２１０と、飲み口２２１が開設され、前記内側蓋体２１０を覆った状態で内側蓋体２１０に取り付けられる外側蓋体２２０とを有しており、内側蓋体２１０と外側蓋体２２０との間には空間Ｓが形成され、本体部１００が所定の角度以上傾けられると、本体部１００に貯留された飲料Ｌは、内側蓋体２１０の流出孔２１１から前記空間Ｓに導かれ、かつ前記空間Ｓから外側蓋体２２０の飲み口２２１を介して流出し、本体部１００の傾きが所定の角度未満であると、本体部１００に貯留された飲料Ｌは内側蓋体２１０の流出孔２１１から前記空間Ｓには導かれないか、導かれたとしても外側蓋体２２０の飲み口２２１からは流出せず前記空間Ｓに留まるようになっている。
【００１０】
前記本体部１００は、平面視円形の有底筒状に形成されたコップ状のものであって、開口端１１０から若干下がった外周面に突脈１２０が形成されている。この突脈１２０は、後述する蓋体２００の内側蓋体２１０の外側縁部２１２Ａの下端と対応するようになっている。
かかるこの本体部１００の内周面には、本体部１００が貯留することができる飲料Ｌの量を示すマーカー１３０が突出形成されている。なお、貯留する飲料Ｌがこのマーカー１３０を超えた状態で飲料容器１０００が転倒すると飲料Ｌが流出してこぼれるので、マーカー１３０が見えるようになっていることは重要である。
なお、この本体部１１０は、ポリプロピレン等の合成樹脂から成形されている。
【００１１】
また、この本体部１００の外周面には、１８０°ずれた位置に一対の把っ手１４０が形成されている。この把っ手１４０は、幼児の親指以外の４本の指が入る程度の大きさに設定されている。
【００１２】
前記蓋体２００を構成する内側蓋体２１０は、本体部１００の開口端１１０に取り付けられるような嵌合部２１２と、この嵌合部２１２より内側、すなわち本体部１００の開口端１１０を覆うような上側に凸になった誘導用突出部２１３とが一体に形成されたものである。
なお、この内側蓋体２１０は、ポリプロピレン等の合成樹脂から成形されている。
【００１３】
前記嵌合部２１２は、本体部１００の外周面に沿う外側縁部２１２Ａと、本体部１００の内周面に沿う内側縁部２１２Ｂとを有しており、外側縁部２１２Ａと内側縁部２１２Ｂとの間が嵌合溝２１２Ｃとなっている。この嵌合溝２１２Ｃの幅寸法、すなわち外側縁部２１２Ａと内側縁部２１２Ｂとの間隔は、本体部１００の開口端１１０の厚さ寸法より若干小さく設定されている。また、外側縁部２１２Ａの内側には、嵌合凸部２１２Ｄが形成されている。
前記外側端部２１２Ａの上端は、内側端部２１２Ｂの上端より上方に位置している。
なお、この嵌合部２１２の外側縁部２１２Ａには、飲料容器１０００が転倒した場合に飲料容器１０００の角度が所定の角度未満となるような突起２１２Ｅが形成されている。
【００１４】
一方、前記誘導用突出部２１３は、内側縁部２１２Ｂの下端部から上方向に側面視略三角形状に突出されたものであり、その頂点には流出孔２１１が開設されている。また、この誘導用突出部２１３は、本体部１００の開口端１１０に取り付けられた状態で、開口端１１０より上方に位置するようになっている。
かかる誘導用突出部２１３は、本体部１００の開口端１１０に取り付けられた状態で、底面部２１４が前記マーカー１３０と一致するようになっている。かかる底面部２１４の最も低い位置には、空気孔２１５が開設されている。
前記誘導用突出部２１３は、側面からみると一方が急峻で、かつ他方がそれより緩やかに立ち上がっている。急峻に立ち上がった面側の底面部２１４には、空気孔２１５が開設されている。
なお、この誘導用突起部２１３の突出した部分の両サイドは、図３に示すように底面部２１４となっており、空間Ｓに残留した飲料Ｌを空気孔２１５から本体部１００に戻るようになっている。
【００１５】
前記外側蓋体２２０は、内側蓋体２１０の上端部に取り付けられもので、平面視略円形の周面部２２２と、この周面部２２２を閉塞するような上面部２２３とが一体に形成されたものである。
この外側蓋体２２０は、周面部２２２の下端が内側蓋体２１０の外側縁部２１２Ａの内側に嵌まり込むことによって内側蓋体１２０に取り付けられるようになっている。
なお、この外側蓋体２２０は、ポリプロピレン等の合成樹脂から成形されている。
【００１６】
前記上面部２２３は、平坦部２２３Ａと、この平坦部２２３Ａに続いて外側に向かって下り傾斜となった傾斜部２２３Ｂとがある。傾斜部２２３Ｂの外側方向には、飲み口２１１が開設されている。傾斜部２２３Ｂは、図５に示すように平面視略ハート型になっている。
前記周面部２２２は、図２、図３に示すように、飲み口２２１が設けられた側が、他の部分より背高になっている。周面部２２２に背高になった部分があるので、幼児はそこに口を当てやすくなっている。
【００１７】
かかる外側蓋体２２０を内側蓋体２１０に被せるには、内側蓋体２１０の誘導用突起２１３の頂部が傾斜部２２３Ｂに干渉しない位置にする必要がある。すなわち、誘導用突起２１３と傾斜部２２３Ｂとがずれた場所に位置する必要がある。
このように、外側蓋体２２０の内側蓋体２１０に対する取り付け位置は、誘導用突起２１３と傾斜部２２３Ｂがあるため、外側蓋体２２０の飲み口２２１は、内側蓋体２１０の流出孔２１１からみて１８０°ずれた箇所に位置するようになる。
【００１８】
本体部１００から蓋体２００を取り外して飲料Ｌを注ぐ。飲料Ｌの量は、本体部１００のマーカー１３０を超えることがないようにする。
飲料Ｌが注がれたならば、蓋体２００を本体部１００の開口端１１０に取り付ける。
【００１９】
通常に飲む場合には、図６に示すように、上側蓋体２２０の飲み口２２１を下側にした状態で飲料容器１０００全体を傾ける。
飲料容器１０００が所定の角度（例えば９０°）以上傾けられると、内側蓋体２１０の流出孔２１１から空間Ｓに流れ込む。この際、空気孔２１５は飲み口２２１とは反対側にあるため、飲料Ｌによって塞がれることはない。
空間Ｓに流れ込んだ飲料Ｌは、外側蓋体２２０の飲み口２２１から流出する。幼児が飲み口２２１側の周面部２２２の縁部に口を付けた状態では、飲料容器１０００をしっかりと傾け、かつ自然と顎を上向きに傾けた姿勢にならないと飲料Ｌが飲み口２２１から流出せず飲めないので、自然と『コップ飲み』の訓練となる。
なお、使用者は把っ手１４０を把持するので飲料容器１０００を落とす危険性は少ない。
【００２０】
飲料Ｌが入った飲料容器１０００が転倒した場合、それも飲み口２２１が下側になる状態で転倒した場合、図７に示すように、飲料容器１０００の本体部１００の傾きは所定角度９０°未満（８０°）になるので、本体部１００に貯留された飲料Ｌは内側蓋体２１０の流出孔２１１から空間Ｓには導かれることはない。
従って、飲料Ｌは飲料容器１０００の飲み口２２１から流出してこぼれることはない。
【００２１】
飲料Ｌが空間Ｓに残っている状態で飲料容器１０００を立った状態に戻すと、空間Ｓにあった飲料Ｌは空気孔２１５から本体部１００に戻る。空気孔２１５は、内側蓋体２１０の底面部２１４の最も低い位置に開設されているので、飲料Ｌが空間Ｓに残留することはない。
【００２２】
飲料Ｌが入った飲料容器１０００が転倒した場合、それも飲み口２２１が上側になる状態で転倒した場合、図８に示すように、飲料容器１０００の本体部１００の傾きは突起２１２Ｅの存在により所定角度９０°未満（８０．５°）になるので、本体部１００に貯留された飲料Ｌは内側蓋体２１０の流出孔２１１から空間Ｓには導かれるが、飲み口２２１が上側にあるので、飲料Ｌは空間Ｓから飲み口２２１にまで到達することはなく、結果として飲料Ｌは空間Ｓに留まるので飲み口２２１から流出してこぼれることはない。
【００２３】
飲み口２２１、流出孔２１１及び一対の把っ手１４０は、飲み口２２１と流出孔２１１とが１８０°ずれた位置にあり、かつ一対の把っ手１４０は飲み口２２１及び流出孔２１１から１８０°ずれた位置にあるので、飲料容器１０００が転倒すると必ず図７に示すような飲み口２２１が下側に位置する状態か、図８に示すような飲み口２２１が上側に位置する状態になるので、飲料Ｌが飲み口２２１から流出してこぼれることはない。
すなわち、把っ手１４０は、幼児が飲料容器１０００を持ちやすくする機能のみならず、飲料容器１０００が転倒した場合に飲料Ｌがこぼれないようにするための機能をも有していることになる。
【００２４】
なお、上述した実施の形態では、飲料Ｌが飲み口２２１から流出するか否かの所定の角度の閾値を９０°としたが、本発明はこれに限定されるものでないことはいうまでもない。本体部１００、蓋体２００等のサイズ、形状によって適宜のものとすることができるのである。
【００２５】
また、上述した実施の形態では、飲料容器１０００が転倒した場合に角度が所定の角度未満となるような突起２１２Ｅを内側蓋体２１０に形成したが、この種の突起を外側蓋体２２０に形成することも可能である。
さらに、上述した実施の形態では、飲料容器１０００は幼児用のものであるとして説明したが、脳卒中や高齢者のリハビリのために使用される飲料容器にも適用できることはいうまでもない。また、リハビリ用のものでなくても、倒れても飲料がこぼれなることがない飲料容器はだれにとっても有益なものであることもいうまでもない。
【００２６】
なお、上述した実施の形態では、飲料容器１０００はコップ状のものであるとしたが、水差しや水筒等の他種の飲料容器をも含む概念であることをいうまでもない。
【符号の説明】
【００２７】
１００    本体部
１１０    開口端
２００    蓋体
２１０    内側蓋体
２１１    流出孔
２２０    外側蓋体
２２１    飲み口
１０００  飲料容器
Ｓ        空間
Ｌ        飲料
【図１】
2020158120.tif 000003
【図２】
2020158120.tif 000004
【図３】
2020158120.tif 000005
【図４】
2020158120.tif 000006
【図５】
2020158120.tif 000007
【図６】
2020158120.tif 000008
【図７】
2020158120.tif 000009
【図８】
2020158120.tif 000010